(57)【要約】【課題】外枠が湾曲変形している場合にも、外枠と内枠との組立作業を煩雑化することなく、取付体の開口へ確実に取り付ける。【解決手段】面材１０の四周に設けた内枠２０と、内枠２０に対して互いの見付け面を当接させた状態で取り付けられる外枠３０とを備え、外枠３０を介して取付体Ｂの開口に配設される建具において、内枠２０及び外枠３０の互いに対応する部位のそれぞれに、見込み方向に沿って相互に近接した場合に互いに当接可能、かつ当接した場合に内枠２０に対し見付け方向に外枠３０を矯正する矯正部材２４，３４を設けた。【選択図】図３
2014025203.tif 000002
【特許請求の範囲】
【請求項１】
面材の外周に設けた内枠と、前記内枠に対して互いの見付け面を当接させた状態で取り付けられる外枠とを備え、前記外枠を介して取付体の開口に配設される建具において、
前記内枠及び前記外枠の互いに対応する部位のそれぞれに、見込み方向に沿って相互に近接した場合に互いに当接可能、かつ当接した場合に前記内枠に対し見付け方向に前記外枠を矯正する矯正部材を設けたことを特徴とする建具。
【請求項２】
前記内枠の矯正部材及び前記外枠の矯正部材は、前記内枠の見付け面及び前記外枠の見付け面を互いに当接させた場合に一方に対して他方が挿入されるように凹凸状に形成したことを特徴とする請求項１に記載の建具。
【請求項３】
前記内枠の矯正部材及び前記外枠の矯正部材は、少なくとも一方が枠材の長手方向に沿って延在する矯正面を有したものであり、前記矯正面は、他方の矯正部材に近接するに従って漸次他方の矯正部材から離隔する方向に傾斜する傾斜部分を有したことを特徴とする請求項１に記載の建具。
【請求項４】
前記内枠の矯正部材及び前記外枠の矯正部材のそれぞれは、枠材の長手方向に沿って全長に設けてあることを特徴とする請求項１に記載の建具。
【発明の詳細な説明】
【技術分野】
【０００１】
本発明は、建具に関するもので、面材の外周に設けた内枠と、内枠の外周に取り付けた外枠とを備え、外枠を介して取付体に形成した開口に配設される建具に関する。
【背景技術】
【０００２】
建造物の壁やドア等の取付体には、透光性を有した面材を配設することによって採光が提供されている。面材は、四周に内枠を備えるとともに、内枠の四周に外枠を備えており、外枠を介して取付体の開口に配設されている。内枠と外枠との間は、連結ネジ等の着脱可能な締結手段によって連結されている。例えば特許文献１では、外枠に設けたネジ挿通孔を介して内枠に設けたネジ孔に連結ネジを締結することにより、内枠と外枠との間が着脱可能に連結されている。
【０００３】
この種の建具によれば、取付体に取り付けた後においても、外枠と内枠との間の連結状態を解除することで面材を取付体から取り外すことができるため、例えば、損傷を来した面材を交換する場合等、面材のメンテナンス作業を容易に行うことが可能である。
【先行技術文献】
【特許文献】
【０００４】
【特許文献１】特開２００２−３６４１１７号公報
【発明の概要】
【発明が解決しようとする課題】
【０００５】
ところで、四本の枠材を単に組み合わせた状態の外枠には、面材の四周に設けられる内枠に比べて十分な剛性を期待することが困難であり、いわゆる「たいこ」や「つづみ」と称される湾曲状の変形が生じる場合がある。特に、寸法の大きな開口に設けられる建具にあっては、比較的自重も大きなものとなるため、外枠が湾曲するように変形し易い傾向にある。
【０００６】
上述した特許文献１に記載の建具においては、外枠のネジ挿通孔が見付け方向に沿って長く形成されているため、外枠が湾曲変形している場合にも、そのまま連結ネジを挿通させて内枠のネジ孔に締結することはできる。しかしながら、外枠のネジ挿通孔を介して内枠のネジ孔に連結ネジを締結した場合には、外枠が湾曲した状態とのままとなるため、取付体に設けた開口と外枠との間の隙間が不均一となり、取付体の開口に対して建具を取り付けることが困難になる等の問題を招来する恐れがある。
【０００７】
上述の問題は、外枠のネジ挿通孔を丸孔とすることで解決することは可能である。すなわち、外枠が変形していない場合に内枠のネジ孔に合致する位置に、連結ネジが嵌合する大きさのネジ挿通孔を形成すれば、外枠が湾曲変形している場合であっても、外枠のネジ挿通孔を介して内枠のネジ孔に連結ネジを締結させることで外枠の外形形状が矯正されることになる。
【０００８】
しかしながら、湾曲変形を来した外枠に対して、内枠を備えた面材を単に収容させただけでは、外枠に設けたネジ挿通孔と内枠に設けたネジ孔とが互いにずれた位置に配置されるため、連結ネジを締結するができない。つまり、外枠に内枠を取り付けるには、湾曲した外枠に外力を加えて矯正し、外枠のネジ挿通孔と内枠のネジ孔と一致させながら連結ネジを締結しなければならず、外枠と内枠との組立作業が煩雑化する事態を招来する恐れがある。
【０００９】
本発明は、上記実情に鑑みて、外枠が湾曲変形している場合にも、外枠と内枠との組立作業を煩雑化することなく、取付体の開口へ確実に取り付けることのできる建具を提供することを目的とする。
【課題を解決するための手段】
【００１０】
上記目的を達成するため、本発明に係る建具は、面材の外周に設けた内枠と、前記内枠に対して互いの見付け面を当接させた状態で取り付けられる外枠とを備え、前記外枠を介して取付体の開口に配設される建具において、前記内枠及び前記外枠の互いに対応する部位のそれぞれに、見込み方向に沿って相互に近接した場合に互いに当接可能、かつ当接した場合に前記内枠に対し見付け方向に前記外枠を矯正する矯正部材を設けたことを特徴とする。
【００１１】
この発明によれば、外枠が湾曲変形している場合にも、内枠に設けた矯正部材と外枠に設けた矯正部材とが互いに当接することによって外枠が内枠に倣って矯正される。
【００１２】
また、本発明は、上述した建具において、前記内枠の矯正部材及び前記外枠の矯正部材は、前記内枠の見付け面及び前記外枠の見付け面を互いに当接させた場合に一方に対して他方が挿入されるように凹凸状に形成したことを特徴とする。
【００１３】
この発明によれば、外枠が湾曲変形している場合、内枠の見付け面及び外枠の見付け面を互いに当接させれば、内枠の矯正部材と外枠の矯正部材とが互いに当接し、外枠が内枠に倣って矯正される。
【００１４】
また、本発明は、上述した建具において、前記内枠の矯正部材及び前記外枠の矯正部材は、少なくとも一方が枠材の長手方向に沿って延在する矯正面を有したものであり、前記矯正面は、他方の矯正部材に近接するに従って漸次他方の矯正部材から離隔する方向に傾斜する傾斜部分を有したことを特徴とする。
【００１５】
この発明によれば、矯正面に設けた傾斜部分の傾斜作用により、内枠の見付け面及び外枠の見付け面を互いに近接させれば、内枠の矯正部材と外枠の矯正部材とが互いに当接した状態となる。
【００１６】
また、本発明は、上述した建具において、前記内枠の矯正部材及び前記外枠の矯正部材のそれぞれは、枠材の長手方向に沿って全長に設けてあることを特徴とする。
【００１７】
この発明によれば、外枠が湾曲変形している場合にも、局所的に応力が集中する事態を招来することなく確実に矯正される。
【発明の効果】
【００１８】
本発明によれば、外枠が湾曲変形している場合にも、内枠に設けた矯正部材と外枠に設けた矯正部材とを互いに当接させれば、外枠が内枠に倣って矯正された状態に維持される。従って、外枠に外力を加えておかなくとも連結ネジを締結して内枠との組立作業を行うことが可能となり、その後の取付体の開口へ取り付けも確実に行うことができるようになる。
【図面の簡単な説明】
【００１９】
【図１】図１は、本発明の実施の形態である建具の横断面図である。
【図２】図２は、図１に示した建具を示したもので、（ａ）は取付体の開口へ取り付ける状態の横断面図、（ｂ）は外枠から内枠を取り外した状態の横断面図である。
【図３】図３は、図１に示した建具の要部を示したもので、（ａ）は外側に向けて湾曲変形した外枠に対して内枠を取り付ける状態の横断面図、（ｂ）は内側に向けて湾曲変形した外枠に対して内枠を取り付ける状態の横断面図である。
【図４】図４は、図１に示した建具の要部を示したもので、（ａ）は内枠を介して外枠に連結ネジを締結している途中の状態を示す横断面図、（ｂ）は内枠を介して外枠に連結ネジを締結した後の状態を示す横断面図である。
【図５】図５は、図１に示した建具に適用する内枠及び外枠の要部分解斜視図である。
【図６】図６は、図１に示した建具の外観を示す斜視図である。
【発明を実施するための形態】
【００２０】
以下、添付図面を参照しながら本発明に係る建具の好適な実施の形態について詳細に説明する。
【００２１】
図１及び図２は、本発明の実施の形態である建具を示したものである。ここで例示する建具は、図６に示すように、室内壁やドア等の取付体Ｂに設けた開口に配設される嵌め殺し窓であり、面材１０を備えている。面材１０は、透光性を有したアクリル樹脂製のブロック体１１を縦横に複数並設することによって外形が矩形を呈するように構成してある。図からも明らかなように、本実施の形態で例示する面材１０は、左右方向に対して上下方向が４倍程度の寸法を有した縦長のものである。
【００２２】
この面材１０の周囲には、内枠２０及び外枠３０が設けてある。内枠２０は、上内枠材２１Ａ、下内枠材２１Ｂ、左右一対の縦内枠材２１Ｃを四周枠組みすることによって構成したものであり、外枠３０は、上外枠材３１Ａ、下外枠材３１Ｂ、左右一対の縦外枠材３１Ｃを四周枠組みすることによって構成したものである。それぞれの枠材２１Ａ，２１Ｂ，２１Ｃ，３１Ａ，３１Ｂ，３１Ｃは、アルミニウムもしくはアルミニウム合金の押し出し型材によって一様な横断面形状を有するように構成してある。尚、内枠２０を構成する上内枠材２１Ａ、下内枠材２１Ｂ、左右一対の縦内枠材２１Ｃは互いに同様の構成を有したものであるため、構成の記載においては単に内枠材２１と称してそれぞれの説明を行う。同様に、外枠３０を構成する上外枠材３１Ａ、下外枠材３１Ｂ、左右一対の縦外枠材３１Ｃも互いに同様の構成を有したものであるため、構成の記載において単に外枠材３１と称して説明を行う。
【００２３】
内枠材２１は、図１〜図４に示すように、平板状を成す基壁２１ａと、基壁２１ａの一方の表面から略直角に突出した連結壁２１ｂとを有したもので、基壁２１ａの他方の表面を面材１０の見込み面に当接させた状態で基壁２１ａを介して取付ネジ２２を締結することにより面材１０に取り付けてある。図５に示すように、内枠材２１の連結壁２１ｂには、ネジ挿通孔２１ｃが形成してある。ネジ挿通孔２１ｃは、見付け方向に沿って長く形成した楕円状のもので、内枠材２１の長手方向に沿った複数の位置に適宜間隔を確保して並設してある。
【００２４】
外枠材３１は、横断面が中空状の筒状を成す基筒部３１０を有している。本実施の形態で例示する基筒部３１０は、横断面が五角形となるように形成したもので、第１見込み壁３１０ａ、第２見込み壁３１０ｂ、第１見付け壁３１０ｃ、第２見付け壁３１０ｄ、傾斜壁３１０ｅを有している。第１見込み壁３１０ａ及び第２見込み壁３１０ｂは互いに平行に延在した部分であり、第１見付け壁３１０ｃ及び第２見付け壁３１０ｄは互いに平行、かつ第１見込み壁３１０ａ及び第２見込み壁３１０ｂに対して直角方向に延在した部分である。傾斜壁３１０ｅは、第２見込み壁３１０ｂと第２見付け壁３１０ｄとの間を斜めに連結するように設けた部分である。
【００２５】
外枠材３１の基筒部３１０には、第２見込み壁３１０ｂの両側縁部にそれぞれ支持壁３１ｆが設けてあり、傾斜壁３１０ｅと第２見込み壁３１０ｂとの連結部分に固定ヒレ部３１ｇが設けてあり、第１見込み壁３１０ａと第１見付け壁３１０ｃとの連結部分に延長ヒレ部３１ｈが設けてある。支持壁３１ｆは、第２見込み壁３１０ｂに対してほぼ直角となる向きに突出した部分であり、個々の突出端部が互いに近接する方向に屈曲している。支持壁３１ｆの第２見込み壁３１０ｂからの突出長さは、互いに同じである。固定ヒレ部３１ｇは、傾斜壁３１０ｅに対してほぼ直角となる向きに突出した平板状部分である。固定ヒレ部３１ｇの第２見込み壁３１０ｂからの突出量は、支持壁３１ｆの突出長さとほぼ同じである。延長ヒレ部３１ｈは、第１見込み壁３１０ａに沿って突出した部分であり、その中間部に内枠支持ヒレ部３１ｊを有している。内枠支持ヒレ部３１ｊは、延長ヒレ部３１ｈから直角方向に向けて突出した平板状部分である。
【００２６】
これらの外枠材３１は、図１〜図５に示すように、予め四周枠組みして外枠３０を構成した後に、個々の第１見込み壁３１０ａを内枠材２１の基壁２１ａに対向させ、かつ第２見付け壁３１０ｄを内枠材２１の連結壁２１ｂに当接させるとともに、内枠支持ヒレ部３１ｊを基壁２１ａの端面に当接させた状態で、連結壁２１ｂに設けたネジ挿通孔２１ｃを介して第２見付け壁３１０ｄに連結ネジ３２を締結することにより、内枠２０に対して着脱可能に連結されることになる。
【００２７】
四周枠組みした外枠３０の外形寸法は、取付体Ｂに設けた開口に収容させた場合に、各外枠材３１に設けた支持壁３１ｆの突出端部が、開口の内壁面に設けたスペーサＳに当接するように設定してある。従って、図２の（ａ）に示すように、取付体Ｂの開口に収容させた状態で外枠材３１の固定ヒレ部３１ｇを介して取付体Ｂに固定ネジ３３を締結すれば、図１に示すように、取付体Ｂに建具を取り付けることが可能となる。一方、この状態から内枠２０と外枠３０とを連結した連結ネジ３２を弛緩させれば、図２の（ｂ）に示すように、外枠３０に対して内枠２０を取り外すことができるようになり、面材１０の交換等、そのメンテナンス作業を容易に行うことが可能となる。
【００２８】
ここで、外枠材３１を四周枠組みして構成した外枠３０には、内枠２０を取り付ける以前の状態において、外枠材３１に湾曲状の変形が生じる場合があり、このままの状態では取付体Ｂの開口へ取り付けることが困難になる等の問題を招来する恐れがある。
【００２９】
そこで、この実施の形態の建具では、図３〜図５に示すように、内枠２０を構成する各内枠材２１の連結壁２１ｂに矯正部材２４を設けるとともに、外枠３０を構成する各外枠材３１の第２見付け壁３１０ｄに対を成す矯正部材３４を設けることによって上述の問題を解決するようにしている。
【００３０】
内枠材２１の矯正部材（以下、「内矯正部材２４」という）は、連結壁２１ｂにおいて外枠材３１の第２見付け壁３１０ｄに対向する対向面からほぼ直角に突出したヒレ状部材であり、内枠材２１の全長に渡って直線状に形成してある。図５からも明らかなように、この内矯正部材２４は、連結壁２１ｂに形成した複数のネジ挿通孔２１ｃの並設位置に合致するように設けてある。内矯正部材２４の先端部には、その両側に傾斜面（傾斜部分）２４ａが設けてある。傾斜面２４ａは、内矯正部材２４の連結壁２１ｂから離隔するに従って漸次互いに近接する方向に傾斜したもので、内矯正部材２４に尖端部を構成している。
【００３１】
外枠材３１の矯正部材（以下、「外矯正部材３４」という）は、相互間に内枠材２１の内矯正部材２４を挿入することのできる一定の間隙ｄを確保した状態で互いに対向配置されたものである。本実施の形態では特に、一対の外矯正部材３４の相互間隙ｄが、外枠材３１の第２見付け壁３１０ｄに長手方向に沿った直線状の溝部として開口するように、外矯正部材３４が設けてある。外矯正部材３４の相互間に確保する間隙ｄの距離ａは、内枠材２１に設けた内矯正部材２４が挿入可能となるように内矯正部材２４の幅よりもわずかに大きく設定してある。外矯正部材３４を設ける位置は、内枠材２１に対して外枠材３１を正規の位置に配置し、連結壁２１ｂに対して第２見付け壁３１０ｄを当接させた場合に内矯正部材２４が外矯正部材３４に接触することなく、相互の間隙ｄに挿入される位置である。
【００３２】
上記のように内矯正部材２４及び外矯正部材３４を設けた建具によれば、四周枠組みした単体の外枠３０に、いわゆる「たいこ」や「つづみ」といった湾曲状の変形が生じている場合にも、内枠２０の連結壁２１ｂに外枠３０の第２見付け壁３１０ｄを当接させるとともに、内矯正部材２４を外矯正部材３４の相互の間隙ｄに挿入させれば、これらの矯正部材２４，３４が互いに当接することで、外枠材３１に外力を加えておかなくとも、外枠３０が内枠２０に倣って矯正された状態に維持され、さらに連結壁２１ｂによって覆われた外矯正部材３４の相互間隙ｄが連結壁２１ｂのネジ挿通孔２１ｃを通じて外部に露出した状態に維持される。
【００３３】
具体的に説明すれば、図３の（ａ）に示すように、外枠材３１が外方に向けて湾曲変形している場合には、内枠２０に対して外枠３０を取り付けるように両者を近接させた際に、まず外枠材３１の内側に位置する外矯正部材３４が内矯正部材２４の傾斜面２４ａに当接する。その後、この状態から内枠２０と外枠３０とをさらに近接させると、内矯正部材２４に設けた傾斜面２４ａの傾斜作用によって外枠材３１が内側に向けて漸次変形され、内矯正部材２４が外矯正部材３４の相互間隙ｄに挿入された時点で湾曲変形が矯正されることになる。
【００３４】
一方、図３の（ｂ）に示すように、外枠材３１が内方に向けて湾曲変形している場合には、内枠２０に対して外枠３０を取り付けるように両者を近接させた際に、まず外枠材３１の外側に位置する外矯正部材３４が内矯正部材２４の傾斜面２４ａに当接する。その後、この状態から内枠２０と外枠３０とをさらに近接させると、内矯正部材２４に設けた傾斜面２４ａの傾斜作用によって外枠材３１が外側に向けて漸次変形され、内矯正部材２４が外矯正部材３４の相互間隙ｄに挿入された時点で湾曲変形が矯正されることになる。
【００３５】
従って、雄ねじ部が、外矯正部材３４の相互間隙ｄよりもわずかに大きな外径を有した連結ネジ３２を適用し、連結壁２１ｂのネジ挿通孔２１ｃを介して外矯正部材３４の間に連結ネジ３２を締結させれば、図４に示すように、外枠３０を矯正した状態で内枠２０に連結させることができるようになり、その後、外枠３０の固定ヒレ部３１ｇを介して固定ネジ３３を締結させれば、建具を取付体Ｂの開口へ確実に取り付けることが可能となる。
【００３６】
尚、上述した実施の形態では、面材１０として、透光性を有したアクリル樹脂製のブロック体１１を縦横に複数並設した建具を例示しているが、本発明は面材１０が透光性を有している必要はなく、複数のブロック体１１を並設することによって構成されたものである必要もない。
【００３７】
また、上述した実施の形態では、内枠２０を構成する内枠材２１及び外枠３０を構成する外枠材３１の四周全てに矯正部材２４，３４を設けるようにしているが、必ずしもこれに限定されない。例えば、縦枠にのみ矯正部材２４，３４を設けるようにしても良いし、四角形以外の建具にも適用することが可能である。尚、枠材に矯正部材２４，３４を設ける場合に上述した実施の形態ではその全長に設けるようにしているが、矯正部材は必ずしも全長に設ける必要もない。
【００３８】
さらに、上述した実施の形態では、矯正部材２４，３４を凹凸状に設ける場合に上述した実施の形態では内枠２０に突起状の矯正部材２４を設け、かつ外枠３０に溝状となるように矯正部材３４を設けるようにしているが、内枠２０に溝状となるように矯正部材を設け、かつ外枠３０に突起状の矯正部材を設けることも可能である。また、突起状の矯正部材に傾斜面を設けるようにしているが、溝状の矯正部材に傾斜面を設けても良い。
【符号の説明】
【００３９】
１０      面材
２０      内枠
２１      内枠材
２４，３４      矯正部材
２４ａ      傾斜面
３０      外枠
３１      外枠材
Ｂ      取付体
ｄ      間隙
【図１】
2014025203.tif 000003
【図２】
2014025203.tif 000004
【図３】
2014025203.tif 000005
【図４】
2014025203.tif 000006
【図５】
2014025203.tif 000007
【図６】
2014025203.tif 000008